(57)【要約】【課題】オーガドラムの組み立てが容易な普通型コンバインを提供することを目的とする。【解決手段】オーガドラム１５は、左右向きの軸心Ｘ１周りに回動可能なドラム２０と、ドラム２０内を左右方向に仕切り、ドラム２０の内周部に連結固定される左仕切板２４と、ドラム２０の左端部から左仕切板２４を介してドラム２０に動力を入力する入力軸２２と、入力軸２２に外嵌固定され、左仕切板２４に取り付けられる取付部２８と、を有し、取付部２８は、左仕切板２４の左右方向外側から左仕切板２４に当接された状態で、左仕切板２４の左右方向内側から左仕切板２４に固定されている。【選択図】図５
2014193117.tif 000002
【特許請求の範囲】
【請求項１】
刈取部に設けられ、刈取穀稈を前記刈取部後方のフィーダに掻き込むオーガドラムを備える普通型コンバインであって、
前記オーガドラムは、
左右向きの軸心周りに回動可能なドラムと、
前記ドラム内を左右方向に仕切り、前記ドラムの内周部に連結固定される仕切板と、
前記ドラムの左右一端部から前記仕切板を介して前記ドラムに動力を入力する入力軸と、
前記入力軸に外嵌固定され、前記仕切板に取り付けられる取付部と、を有し、
前記取付部は、前記仕切板の左右方向外側から前記仕切板に当接された状態で、前記仕切板の左右方向内側から前記仕切板に固定されている普通型コンバイン。
【請求項２】
前記入力軸は、前記仕切板を貫通した状態で設けられ、
前記取付部は、前記仕切板と前記入力軸との間の隙間を閉塞している請求項１に記載の普通型コンバイン。
【請求項３】
前記ドラムの回動に伴って前記ドラムの外周部から出退し、刈取穀稈を前記フィーダに掻き込むクランク式の掻込装置を備え、
前記入力軸のうち前記仕切板を貫通した左右方向内側の端部は、前記掻込装置の軸に接続されている請求項１又は２に記載の普通型コンバイン。
【請求項４】
前記入力軸は、前記ドラムが架設される刈取フレームに回動可能に支持されている請求項１から３までの何れか一項に記載の普通型コンバイン。
【請求項５】
前記入力軸のうち前記取付部よりも左右方向外側に、ベアリングが外嵌固定され、
前記刈取フレームに連結されるプレートが、前記ベアリングに外嵌固定されている請求項４に記載の普通型コンバイン。
【請求項６】
前記刈取フレームの左右方向外側部に開口が形成され、
前記入力軸及び前記取付部は、前記開口から前記ドラム内に差し入れられた状態で設けられ、
前記プレート及び前記ベアリングは、前記入力軸と前記開口との間の隙間を閉塞している請求項５に記載の普通型コンバイン。
【請求項７】
前記入力軸のうち前記取付部よりも左右方向外側に、無端回動体が巻き付けられる入力体が外嵌固定されている請求項１から６までの何れか一項に記載の普通型コンバイン。
【請求項８】
前記仕切板は、その内周部側が外周部側に対して左右方向に膨出した形状に形成されている請求項１から７までの何れか一項に記載の普通型コンバイン。
【請求項９】
複数の前記仕切板を備え、
前記入力軸は、複数の前記仕切板のうち一の仕切板のみに支持されている請求項１から８までの何れか一項に記載の普通型コンバイン。
【請求項１０】
前記ドラムの外周部に、開閉可能な蓋で覆われた点検口が形成され、
前記点検口は、左右方向において前記入力軸の側に設けられている請求項１から９までの何れか一項に記載の普通型コンバイン。
【請求項１１】
前記フィーダは、前記ドラムが架設される刈取フレームのうち、左右方向において前記入力軸の側に連結されている請求項１から１０までの何れか一項に記載の普通型コンバインを備える普通型コンバイン。
【発明の詳細な説明】
【技術分野】
【０００１】
本発明は、普通型コンバインに関する。より詳細には、刈取部に設けられ、刈取穀稈を刈取部後方のフィーダに掻き込むオーガドラムを備える普通型コンバインに関する。
【背景技術】
【０００２】
上記のような普通型コンバインとして、例えば、特許文献１に記載の普通型コンバインが既に知られている。特許文献１に記載の普通型コンバインでは、ドラム（文献では「オーガドラム」）内を左右方向に仕切る仕切板（文献では「蓋板」）が、ドラムの内周部に連結固定されている。ドラムの右端部には、仕切板を介してドラムに動力を入力する入力軸（文献では「回転支軸」）が設けられている。入力軸には、仕切板に取り付けられる取付部（文献では「連結フランジ部）が外嵌固定されている。取付部は、仕切板に当接された状態で、仕切板にボルトで固定されている。具体的には、取付部は、仕切板の左右方向外側から仕切板に当接された状態で、仕切板の左右方向外側から仕切板にボルトで固定されている。こうして、入力軸は、取付部を介して仕切板に固定されることにより、仕切板を介してドラムに動力を入力する。
【先行技術文献】
【特許文献】
【０００３】
【特許文献１】特開２００７−２１５４５３号公報
【発明の概要】
【発明が解決しようとする課題】
【０００４】
一般的に、入力軸には、入力体（例えば、入力スプロケットや入力プーリ等）やベアリングが取り付けられるところ、特許文献１に記載の普通型コンバインでは、入力軸に取付部が先組みされた状態で、取付部が仕切板にボルトで固定された後、入力体やベアリングが、入力軸に外嵌固定される。ここで、入力軸にベアリング及び入力体を外嵌固定するには、入力軸にベアリング及び入力体を打ち込む作業が必要になる。しかし、仕切板は、剛性の高い部材ではないため、入力軸が取付部を介して仕切板に固定された状態では、入力軸にベアリング及び入力体を打ち込む作業がし難い。
【０００５】
この点、入力軸にベアリング及び入力体も先組みすればよいとも考えられる。しかし、取付部は、仕切板の左右方向外側から仕切板にボルトで固定されるため、入力軸にベアリング及び入力体が先組みされた状態では、取付部を仕切板にボルトで固定する際に、ベアリング及び入力体が邪魔になる。
【０００６】
本発明は以上の如き状況に鑑みてなされたものであり、オーガドラムの組み立てが容易な普通型コンバインを提供することを目的とする。
【課題を解決するための手段】
【０００７】
本発明の特徴は、
刈取部に設けられ、刈取穀稈を前記刈取部後方のフィーダに掻き込むオーガドラムを備える普通型コンバインであって、
前記オーガドラムは、
左右向きの軸心周りに回動可能なドラムと、
前記ドラム内を左右方向に仕切り、前記ドラムの内周部に連結固定される仕切板と、
前記ドラムの左右一端部から前記仕切板を介して前記ドラムに動力を入力する入力軸と、
前記入力軸に外嵌固定され、前記仕切板に取り付けられる取付部と、を有し、
前記取付部は、前記仕切板の左右方向外側から前記仕切板に当接された状態で、前記仕切板の左右方向内側から前記仕切板に固定されていることにある。
【０００８】
本特徴構成によれば、取付部が仕切板の左右方向内側から仕切板に固定されることにより、入力軸に外嵌固定される部材（以下「外嵌部材」という。）を先組みした状態でも、取付部を仕切板に固定する際に、外嵌部材が邪魔になることがない。したがって、入力軸に外嵌部材を先組みした状態で、取付部を仕切板に固定することができるため、オーガドラムの組み立てが容易になる。
【０００９】
さらに、本発明において、
前記入力軸は、前記仕切板を貫通した状態で設けられ、
前記取付部は、前記仕切板と前記入力軸との間の隙間を閉塞していると好適である。
【００１０】
本特徴構成によれば、塵埃や穀稈等が仕切板と入力軸との間の隙間からドラム内に侵入することがない。
【００１１】
さらに、本発明において、
前記ドラムの回動に伴って前記ドラムの外周部から出退し、刈取穀稈を前記フィーダに掻き込むクランク式の掻込装置を備え、
前記入力軸のうち前記仕切板を貫通した左右方向内側の端部は、前記掻込装置の軸に接続されていると好適である。
【００１２】
本特徴構成によれば、入力軸を支持させる部材として、掻込装置の軸を有効活用することができる。
【００１３】
さらに、本発明において、
前記入力軸は、前記ドラムが架設される刈取フレームに回動可能に支持されていると好適である。
【００１４】
本特徴構成によれば、入力軸を支持させる部材として、刈取フレームを有効活用することができる。これにより、剛性の高い刈取フレームに、入力軸が安定的に支持されることになる。
【００１５】
さらに、本発明において、
前記入力軸のうち前記取付部よりも左右方向外側に、ベアリングが外嵌固定され、
前記刈取フレームに連結されるプレートが、前記ベアリングに外嵌固定されていると好適である。
【００１６】
本特徴構成によれば、入力軸を刈取フレームに、簡単な構造で回動可能に支持させることができる。
【００１７】
さらに、本発明において、
前記刈取フレームの左右方向外側部に開口が形成され、
前記入力軸及び前記取付部は、前記開口から前記ドラム内に差し入れられた状態で設けられ、
前記プレート及び前記ベアリングは、前記入力軸と前記開口との間の隙間を閉塞していると好適である。
【００１８】
本特徴構成によれば、塵埃や穀稈等が開口からドラム内に侵入することがない。
【００１９】
さらに、本発明において、
前記入力軸のうち前記取付部よりも左右方向外側に、無端回動体が巻き付けられる入力体が外嵌固定されていると好適である。
【００２０】
本特徴構成によれば、入力軸に入力体を先組みした状態で、取付部を仕切板に固定することができるため、オーガドラムの組み立てが容易になる。
【００２１】
さらに、本発明において、
前記仕切板は、その内周部側が外周部側に対して左右方向に膨出した形状に形成されていると好適である。
【００２２】
本特徴構成によれば、仕切板が、その内周部側が外周部側に対して左右方向に膨出した形状に形成されていることにより、仕切板の剛性が高くなる。これにより、剛性の高い仕切板に、入力軸が安定的に支持されることになる。また、仕切板を複数設ける場合に、仕切板の数の低減を図り易いため、コストダウン及び軽量化が可能となる。
【００２３】
さらに、本発明において、
複数の前記仕切板を備え、
前記入力軸は、複数の前記仕切板のうち一の仕切板のみに支持されていると好適である。
【００２４】
本特徴構成によれば、入力軸を一の仕切板のみに支持させればよいので、複数の仕切板の配置間隔を広げることができる。これにより、仕切板の数の低減を図り易いため、コストダウン及び軽量化が可能となる。
【００２５】
さらに、本発明において、
前記ドラムの外周部に、開閉可能な蓋で覆われた点検口が形成され、
前記点検口は、左右方向において前記入力軸の側に設けられていると好適である。
【００２６】
本特徴構成によれば、点検口が入力軸の近傍に位置することにより、点検口を介してドラム内から取付部を仕切板に固定することができる。これにより、取付部を仕切板の左右方向内側から仕切板に固定するのが容易である。
【００２７】
さらに、本発明において、
前記フィーダは、前記ドラムが架設される刈取フレームのうち、左右方向において前記入力軸の側に連結されていると好適である。
【００２８】
本特徴構成によれば、フィーダが入力軸の近傍に位置することにより、フィーダの動力を入力軸に伝達する場合に、動力伝達機構を短い経路で構成することができる。
【図面の簡単な説明】
【００２９】
【図１】コンバインの前部を示す側面図である。
【図２】フィーダを示す平面断面図である。
【図３】オーガドラムを示す背面断面図である。
【図４】オーガドラムを示す展開図である。
【図５】オーガドラムにおける入力軸の側の端部を示す背面断面図である。
【図６】オーガドラムを示す側面断面図である。
【００３０】
先ず、コンバインの全体構成について、図１により説明する。
【００３１】
図１には、稲や麦等の作物を収穫するコンバインの一例として、普通型コンバインを示している。コンバインにおける前部には、植立穀稈を刈り取る刈取部１が設けられている。刈取部１は、植立穀稈を掻込リール１３で掻き込んで刈取装置１４で切断し、刈取穀稈をオーガドラム１５でフィーダ５に掻き込むように構成されている。刈取部１の後方には、圃場を走行可能なクローラ式の走行装置２が設けられている。走行装置２の上部には、機体フレーム３が設けられている。
【００３２】
機体フレーム３上における左側には、刈取穀稈を脱穀する脱穀装置４が設けられている。また、刈取部１の後方には、フィーダ５が設けられている。フィーダ５は、刈取部１からの刈取穀稈を脱穀装置４に搬送するものである。フィーダ５は、駆動回動体９及び従動回動体８が回動することにより、刈取穀稈を搬送チェーン１２で脱穀装置４に搬送するように構成されている。また、機体フレーム３上における右側前部には、オペレータが搭乗する運転部６及びエンジン（図示省略）が設けられている。機体フレーム３上における右側後部には、脱穀後の穀粒を貯留する穀粒貯留部（図示省略）が設けられている。前記穀粒貯留部は、タンク式であってもよいし、ホッパ式であってもよい。
【００３３】
以上のような構成により、コンバインは、走行装置２で圃場を走行しながら、刈取部１で植立穀稈を刈り取り、刈取穀稈をフィーダ５で脱穀装置４に搬送し、刈取穀稈を脱穀装置４で脱穀し、脱穀後の穀粒を前記穀粒貯留部に貯留する。
【００３４】
次に、オーガドラム１５について、図２から図６により説明する。
【００３５】
図２及び図３に示すように、オーガドラム１５は、刈取穀稈を左スクリュ羽根１６及び右スクリュ羽根１７でフィーダ５の前方まで横送り搬送し、刈取穀稈を掻込装置２１でフィーダ５に掻き込むように構成されている。オーガドラム１５は、ドラム２０と、入力軸２２と、掻込装置２１と、を有している。
【００３６】
ドラム２０は、左右向きの軸心Ｘ１周りに回動可能なものである。ドラム２０は、その左右両端部（左右両底部）が左右方向に開口する無底円筒形状に形成されている。ドラム２０は、刈取フレーム１８に回動可能に架設されている。ドラム２０が架設される刈取フレーム１８のうち、左右方向において入力軸２２の側（左側）に、フィーダ５が連結されている。
【００３７】
ドラム２０の外周部には、左スクリュ羽根１６、右スクリュ羽根１７及び点検口２０ａ（図４参照）が備えられている。また、ドラム２０内は、三枚の仕切板２４・２５・２６によって、左右方向に仕切られている。
【００３８】
点検口２０ａは、ドラム２０の外周部に略矩形状に開口している。点検口２０ａは、左右方向において入力軸２２の側（左側）に設けられている。点検口２０ａは、開閉可能な蓋２３で覆われている。蓋２３は、点検口２０ａよりも若干大きい略矩形状に形成されている。
【００３９】
左スクリュ羽根１６は、ドラム２０の外周部のうち、その左端部からフィーダ５の左側部に対応する箇所までの部分に形成されている。右スクリュ羽根１７は、ドラム２０の外周部のうち、その右端部からフィーダ５の右側部に対応する箇所までの部分に形成されている。
【００４０】
仕切板２４・２５・２６は、いずれもドラム２０の内周部に連結固定されている。この点、仕切板２４・２５・２６を、ドラム２０の内周部に連結固定するには、例えば、溶接で連結固定すると好適である。仕切板２４・２５・２６は、左仕切板２４（本発明に係る「仕切板」に相当）と、右仕切板２５と、中仕切板２６と、を有している。
【００４１】
左仕切板２４は、ドラム２０の内周部のうち左端部に連結固定されている。左仕切板２４は、ドラム２０の内周部の形状に沿う形状の円板である。左仕切板２４は、その内周部側が外周部側に対して左右方向に膨出した形状（以下「絞り形状」という。）に形成されている。左仕切板２４の膨出方向は、左右方向外側（左側）である。
【００４２】
右仕切板２５は、ドラム２０の内周部のうち右端部に連結固定されている。右仕切板２５は、ドラム２０の内周部の形状に沿う形状の円板である。右仕切板２５は、左仕切板２４のような絞り形状には形成されておらず、平らに形成されている。
【００４３】
中仕切板２６は、ドラム２０の内周部のうち左端部と右端部との間に連結固定されている。この点、中仕切板２６は、ドラム２０の内周部のうち左右方向中央部に連結固定されていると好適である。中仕切板２６は、ドラム２０の内周部の形状に沿う形状の円板である。中仕切板２６は、左仕切板２４のような絞り形状には形成されておらず、平らに形成されている。
【００４４】
図３及び図５に示すように、入力軸２２は、ドラム２０の左端部から左仕切板２４を介してドラム２０に動力を入力するものである。入力軸２２は、三つの仕切板２４・２５・２６のうち左仕切板２４のみを貫通した状態で設けられ、左仕切板２４のみに支持されている。入力軸２２は、ドラム２０が架設される刈取フレーム１８に回動可能に支持されている。
【００４５】
詳述すると、入力軸２２には、ベアリング２９が外嵌固定されている。具体的には、入力軸２２のうち取付部２８よりも左右方向外側（左側）に、ベアリング２９が外嵌固定されている。また、ベアリング２９には、止め輪４９を介してブッシュ４８が外嵌固定されている。ブッシュ４８には、刈取フレーム１８に連結されるプレート３０が外嵌固定されている。プレート３０は、ガイド３５と共に刈取フレーム１８にボルト３６で固定されている。具体的には、プレート３０は、刈取フレーム１８の左右方向外側（左側）から刈取フレーム１８に当接された状態で、刈取フレーム１８にボルト３６で固定されている。ガイド３５は、刈取フレーム１８の左右方向内側（右側）から刈取フレーム１８に当接された状態で、刈取フレーム１８にボルト３６で固定されている。こうして、入力軸２２は、ドラム２０が架設される刈取フレーム１８に回動可能に支持されている。
【００４６】
入力軸２２のうち左仕切板２４を貫通した左右方向内側の端部（右端部）は、掻込装置２１の偏心軸２７（本発明に係る「掻込装置の軸」に相当）に接続されている。具体的には、入力軸２２の右端部は、ベアリング４４を介して、偏心軸２７左端部の左アーム４５に回動可能に支持されている。
【００４７】
入力軸２２のうちベアリング２９よりも左右方向内側（右側）には、第一ボス部４０Ａが外嵌固定されている。第一ボス部４０Ａは、入力軸２２に相対回動不能に設けられている。具体的には、第一ボス部４０Ａは、入力軸２２に異形嵌合（例えば、キー嵌合等）されている。また、第一ボス部４０Ａには、左仕切板２４に取り付けられる取付部２８が外嵌固定されている。第一ボス部４０Ａは、左仕切板２４を貫通した状態で設けられている。
【００４８】
入力軸２２のうちベアリング２９よりも左右方向外側（左側）には、第二ボス部４０Ｂが外嵌固定されている。第二ボス部４０Ｂは、入力軸２２に相対回動不能に設けられている。具体的には、第二ボス部４０Ｂは、入力軸２２に異形嵌合（例えば、キー嵌合等）されている。また、第二ボス部４０Ｂには、左右方向外側（左側）から順に、出力スプロケット４１、入力スプロケット３２（本発明に係る「入力体」に相当）が外嵌固定されている。つまり、出力スプロケット４１及び入力スプロケット３２は、入力軸２２のうち取付部２８よりも左右方向外側（左側）に外嵌固定されている。
【００４９】
入力スプロケット３２には、チェーン３１（本発明に係る「無端回動体」に相当）が巻き付けられている。入力スプロケット３２には、フィーダ５の動力がチェーン３１を介して伝達される。また、出力スプロケット４１には、チェーン４２が巻き付けられている。出力スプロケット４１は、チェーン４２を介して掻込リール１３に動力を伝達する。
【００５０】
これにより、フィーダ５の動力が、チェーン３１、入力スプロケット３２及び第二ボス部４０Ｂを介して、入力軸２２に伝達される。そして、第二ボス部４０Ｂに伝達された動力が、出力スプロケット４１及びチェーン４２を介して、掻込リール１３に伝達される。
【００５１】
取付部２８は、左仕切板２４に当接された状態で、左仕切板２４にボルト３３で固定されている。具体的には、取付部２８は、左仕切板２４の左右方向外側（左側）から左仕切板２４に当接された状態で、左仕切板２４の左右方向内側（右側）から左仕切板２４にボルト３３で固定されている。この点、ボルト３３に対応するナット３４が、取付部２８に溶接されていると好適である。上述のように、入力軸２２（第一ボス部４０Ａ）は、左仕切板２４を貫通した状態で設けられているところ、左仕切板２４と入力軸２２との間、具体的には、左仕切板２４と第一ボス部４０Ａとの間に、隙間が発生することが懸念される。そこで、左仕切板２４と第一ボス部４０Ａとの間の隙間を、取付部２８で閉塞している。
【００５２】
入力軸２２及び取付部２８は、開口１８ａ及び開口３５ａからドラム２０内に差し入れられた状態で設けられている。開口１８ａは、刈取フレーム１８の左右方向外側部（左側部）に形成されている。開口３５ａは、ガイド３５に形成されている。入力軸２２と開口１８ａ及び開口３５ａとの間の隙間は、プレート３０及びベアリング２９で閉塞されている。
【００５３】
掻込装置２１は、ドラム２０の回動に伴ってドラム２０の外周部から出退し、刈取穀稈をフィーダ５に掻き込むクランク式のものである。掻込装置２１は、左仕切板２４と中仕切板２６との左右間に配置されている。掻込装置２１には、ドラム２０の外周部から出退可能なフィンガー４３が、合計で八本備えられている。
【００５４】
八本のフィンガー４３は、左右向きの軸心Ｘ２方向に等間隔又は略等間隔をあけて配置されている。八本のフィンガー４３は、軸心Ｘ２周りに所定角度間隔で配置されている（図６参照）。具体的には、側面視において、八本のフィンガー４３のうち、互いに隣り合う二本のフィンガー４３同士は、重複せず、かつ、三本のフィンガー４３を挟む一のフィンガー４３と他のフィンガー４３とは、重複する。
【００５５】
フィンガー４３は、ドラム２０の外周部に設けられたブッシュ４７から出退可能に構成されている。フィンガー４３は、左右向きの軸心Ｘ２周りに回動可能に構成されている。具体的には、フィンガー４３は、ボス部４３ａを介して、偏心軸２７に回動可能に支持されている。
【００５６】
偏心軸２７の左端部には、左アーム４５が設けられている。左アーム４５は、ベアリング４４を介して、入力軸２２の右端部に回動可能に取り付けられている。
【００５７】
偏心軸２７の右端部には、右アーム４６が設けられている。右アーム４６は、回動軸３７の左端部に相対回動不能に取り付けられている。具体的には、右アーム４６は、回動軸３７の左端部に異形嵌合（例えば、キー嵌合等）されている。
【００５８】
回動軸３７は、入力軸２２と同一軸心Ｘ１上に配置されている。回動軸３７は、右仕切板２５及び中仕切板２６を貫通した状態で設けられている。回動軸３７の右端部は、ベアリング３８を介して、右仕切板２５に回動可能に支持されている。回動軸３７の左端部は、ベアリング３９を介して、中仕切板２６に回動可能に支持されている。
【００５９】
以上のような構成により、入力軸２２の動力は、左仕切板２４を介して、ドラム２０に入力される。具体的には、入力軸２２の動力は、第一ボス部４０Ａ、取付部２８及び左仕切板２４を介して、ドラム２０に入力される。これにより、ドラム２０は、軸心Ｘ１周りに回動する。
【００６０】
そうすると、ドラム２０の回動に追従する形態で、フィンガー４３が軸心Ｘ２周りに回動する。このとき、ドラム２０の回動に伴って、偏心軸２７とブッシュ４７との距離が変化することにより、フィンガー４３がドラム２０の外周部から出退する。ちなみに、図６に示す側面視において、軸心Ｘ１と軸心Ｘ２を結ぶ直線Ｙ上において、フィンガー４３が直線Ｙ方向であってＸ１とは反対側に突出すると、フィンガー４３の突出長さが最大になり、フィンガー４３が直線Ｙ方向であってＸ１の側に突出すると、フィンガー４３の突出長さが最小になる。こうして、ドラム２０の回動に伴って、フィンガー４３がドラム２０の外周部から出退することにより、刈取穀稈を掻込装置２１でフィーダ５に掻き込むことができる。
【００６１】
図５に示すように、上述のように、入力軸２２には、ベアリング２９、第一ボス部４０Ａ及び第二ボス部４０Ｂが外嵌固定されている。このうちベアリング２９には、ブッシュ４８が外嵌固定され、ブッシュ４８には、プレート３０が外嵌されている。そして、第一ボス部４０Ａには、取付部２８が外嵌固定されている。そして、第二ボス部４０Ｂには、出力スプロケット４１及び入力スプロケット３２が外嵌固定されている。このように、入力軸２２に各部材が外嵌固定されることにより、入力軸２２及び入力軸２２に外嵌固定される部材が、アッシＡとして構成されている。つまり、アッシＡには、入力軸２２、並びに、ベアリング２９、ブッシュ４８及びプレート３０、並びに、第一ボス部４０Ａ及び取付部２８、並びに、第二ボス部４０Ｂ、出力スプロケット４１及び入力スプロケット３２が含まれている。
【００６２】
アッシＡの組付け及び取外し作業は、次のようにして行われる。この場合、点検口２０ａを覆う蓋２３を開けることにより、アッシＡの組付け及び取外し作業を、点検口２０ａを介してドラム２０内から行うことが可能である。
【００６３】
アッシＡを組み付けるには、先ず、アッシＡを、開口１８ａ（刈取フレーム１８）及び開口３５ａ（ガイド３５）からドラム２０内に差し入れる。そして、取付部２８を、左仕切板２４の左右方向外側（左側）から左仕切板２４に当接させた状態で、左仕切板２４の左右方向内側（右側）から左仕切板２４に、ボルト３３で固定する。そして、プレート３０を刈取フレーム１８にボルト３６及びボルト５１で固定する。そして、入力軸２２をベアリング４４にナット５０で固定する。こうして、アッシＡを組み付けることができる。なお、ボルト３３による固定、ボルト３６による固定及びナット５０による固定の順序は、特に限定するものではない。また、ボルト３３、ボルト３６、ボルト５１及びナット５０による固定を解除すれば、アッシＡを取り外すことができる。
【００６４】
以下、本発明に係る別実施形態について説明する。
【００６５】
（１）上記実施形態において、アッシＡには、入力軸２２、並びに、ベアリング２９、ブッシュ４８及びプレート３０、並びに、第一ボス部４０Ａ及び取付部２８、並びに、第二ボス部４０Ｂ、出力スプロケット４１及び入力スプロケット３２が含まれているが、アッシＡに含まれる部材は、組み立て性等を考慮して適宜取捨選択することもできるし、アッシＡに別の部材を含めることもできる。
【００６６】
（２）上記実施形態において、入力軸２２は、ドラム２０の左端部から左仕切板２４を介してドラム２０に動力を入力しているが、入力軸２２は、ドラム２０の右端部から右仕切板２５を介してドラム２０に動力を入力してもよい。この場合、右仕切板２５が、絞り形状に形成されていると好適である。
【００６７】
（３）上記実施形態において、取付部２８は、左仕切板２４にボルト３３で固定されているが、取付部２８は、例えば、ビスその他の固定具で固定されていてもよい。
【００６８】
（４）上記実施形態において、入力軸２２は、三つの仕切板２４・２５・２６のうち左仕切板２４のみに支持されているが、入力軸２２は、二つ以上の仕切板に支持されていてもよい。
【００６９】
（５）上記実施形態において、「仕切板」は、三枚であるが、「仕切板」は、二枚であってもよいし、四枚以上であってもよい。
【００７０】
（６）上記実施形態において、三枚の仕切板２４・２５・２６のうち左仕切板２４のみが、絞り形状に形成されているが、左仕切板２４に加えて、右仕切板２５及び中仕切板２６のうち何れか一方又は両方が、絞り形状に形成されていてもよい。
【００７１】
（７）上記実施形態において、左仕切板２４の膨出方向は、左右方向外側（左側）であるが、左仕切板２４の膨出方向は、左右方向内側（右側）であってもよい。
【産業上の利用可能性】
【００７２】
本発明は、刈取部に設けられ、刈取穀稈を前記刈取部後方のフィーダに掻き込むオーガドラムを備える普通型コンバインに利用可能である。
【符号の説明】
【００７３】
１  刈取部
５  フィーダ
１５  オーガドラム
１８  刈取フレーム
１８ａ  開口
２０  ドラム
２０ａ  点検口
２１  掻込装置
２２  入力軸
２３  蓋
２４  左仕切板（仕切板）
２５  仕切板
２６  仕切板
２７  偏心軸（掻込装置の軸）
２８  取付部
２９  ベアリング
３０  プレート
３１  チェーン（無端回動体）
３２  入力スプロケット（入力体）
Ｘ１  軸心
【図１】
2014193117.tif 000003
【図２】
2014193117.tif 000004
【図３】
2014193117.tif 000005
【図４】
2014193117.tif 000006
【図５】
2014193117.tif 000007
【図６】
2014193117.tif 000008